(57)【要約】【課題】  マスターレンズとカメラ本体の間に装着されるコンバージョンレンズにおいて、高速なウォブリング動作が可能な小型のテレコンバージョンレンズを提供する。【解決手段】  マスターレンズとカメラ本体の間に装着され、全体として負の屈折力を有するテレコンバージョンレンズであって、物体側から像側へ順に、前群Ｌｆ、オートフォーカスのために光軸方向に往復移動するウォブリング動作を行う負の屈折力のレンズ群Ｌｎ、正の屈折力の後群Ｌｒを有することを特徴とするテレコンバージョンレンズ。【選択図】  図１
2014115410.tif 000002
【特許請求の範囲】
【請求項１】
マスターレンズとカメラ本体の間に装着され、全体として負の屈折力を有するテレコンバージョンレンズであって、物体側から像側へ順に、前群Ｌｆ、オートフォーカスのために光軸方向に往復移動するウォブリング動作を行う負の屈折力のレンズ群Ｌｎ、正の屈折力の後群Ｌｒを有することを特徴とするテレコンバージョンレンズ。
【請求項２】
前記レンズ群Ｌｎの横倍率をβｎ、前記後群Ｌｒの横倍率をβｒとしたとき、
１．０＜|βｎ２−１|×βｒ２＜３．５
を満足することを特徴とする請求項１に記載のテレコンバージョンレンズ。
【請求項３】
前記レンズ群Ｌｎの最も物体側のレンズ面の曲率半径をＲｎｆ、前記レンズ群Ｌｎの最も像側のレンズ面の曲率半径をＲｎｒとしたとき、
０．３０＜（Ｒｎｒ−Ｒｎｆ）／（Ｒｎｒ＋Ｒｎｆ）＜０．９４
を満足することを特徴とする請求項１または２に記載のテレコンバージョンレンズ。
【請求項４】
前記レンズ群Ｌｎは、単一の負レンズにより構成されることを特徴とする請求項１乃至３のいずれか１項に記載のテレコンバージョンレンズ。
【請求項５】
前記レンズ群Ｌｎの焦点距離をｆｎ、前記テレコンバージョンレンズの全系の焦点距離をｆとしたとき、
０．０６＜ｆｎ／ｆ＜０．３５
を満足することを特徴とする請求項１乃至４のいずれか１項に記載のテレコンバージョンレンズ。
【請求項６】
前記後群Ｌｒの焦点距離をｆｒ、前記レンズ群Ｌｎの焦点距離をｆｎとしたとき、
１．３０＜｜ｆｒ／ｆｎ｜＜１．８０
を満足することを特徴とする請求項１乃至５のいずれか１項に記載のテレコンバージョンレンズ。
【請求項７】
前記前群Ｌｆと前記レンズ群Ｌｎの光軸上の間隔をｄＬ１、前記テレコンバージョンレンズの全系の焦点距離をｆとしたとき、
０．１５＜｜ｄＬ１／ｆ｜＜０．５０
を満足することを特徴とする請求項１乃至６のいずれか１項に記載のテレコンバージョンレンズ。
【請求項８】
前記レンズ群Ｌｎと前記後群Ｌｒの光軸上の間隔をｄＬ２、前記テレコンバージョンレンズの全系の焦点距離をｆとしたとき、
０．０７＜｜ｄＬ２／ｆ｜＜０．３０
を満足することを特徴とする請求項１乃至７のいずれか１項に記載のテレコンバージョンレンズ。
【請求項９】
前記テレコンバージョンレンズの最も物体側のレンズ面から最も像側のレンズ面までの光軸上の間隔をＴＤ、前記テレコンバージョンレンズの最も像側のレンズ面から像面までの光軸上の間隔をＢＦｃとしたとき、
２．０＜ＴＤ／ＢＦｃ＜４．５
を満足することを特徴とする請求項１乃至８のいずれか１項に記載のテレコンバージョンレンズ。
【請求項１０】
フランジバックが互いに異なるマスターレンズとカメラ本体の間に装着されるマウントアダプタであることを特徴とする請求項１乃至９のいずれか１項に記載のテレコンバージョンレンズ。
【請求項１１】
前記マスターレンズと前記カメラ本体の少なくとも一方と通信することにより、前記カメラ本体がコントラスト方式によるオートフォーカスに対応しているか否かに関する情報を取得する制御手段を有することを特徴とする請求項１乃至１０のいずれか１項に記載のテレコンバージョンレンズ。
【請求項１２】
前記マスターレンズと前記カメラ本体の少なくとも一方と通信することにより、前記マスターレンズがウォブリング動作可能なフォーカシングレンズ群を有するか否かに関する情報を取得する制御手段を有することを特徴とする請求項１乃至１１のいずれか１項に記載のテレコンバージョンレンズ。
【請求項１３】
前記マスターレンズがウォブリング動作可能なフォーカシングレンズ群を有するとき、前記マスターレンズ、前記テレコンバージョンレンズ、またはその両方でウォブリング動作を行うことを制御する制御手段を有することを特徴とする請求項１２に記載のテレコンバージョンレンズ。
【請求項１４】
請求項１乃至１３のいずれか１項に記載のテレコンバージョンレンズと、該テレコンバージョンレンズが装着されたマスターレンズにより構成される撮影光学系。
【請求項１５】
請求項１４に記載の撮影光学系と、該撮影光学系により形成される光学像を光電変換する撮像素子を備えるカメラ本体とを有する撮像装置。
【発明の詳細な説明】
【技術分野】
【０００１】
本発明は、マスターレンズとカメラ本体の間に装着されるテレコンバージョンレンズ及びこれを用いた撮影光学系、撮像装置に関し、特に一眼レフカメラ等の撮像装置に関する。
【背景技術】
【０００２】
一眼レフカメラは、持ち運びを容易にするため、小型であることが求められている。また、快適に撮影を行うため、高速かつ高精度なオートフォーカス（自動合焦）が求められている。
【０００３】
オートフォーカスの方式として、撮像素子から得られる画像のコントラストに基づいて合焦させるコントラスト方式が知られている。
【０００４】
コントラスト方式では、フォーカシングレンズ群を光軸方向に移動させたときのコントラストの変化から合焦位置に対するズレ方向を検出することができる。また、撮像素子の出力信号から画像領域の特定の周波数帯の信号成分を検出して、合焦状態となるフォーカシングレンズ群の最適位置を算出し、その最適位置にフォーカシングレンズ群を移動させて合焦動作を完了する。
【０００５】
また、一眼レフカメラでは、交換レンズ（マスターレンズ）とカメラ本体の間に負の屈折力のテレコンバージョンレンズを装着することにより全系の焦点距離を望遠側へ変更することがある。
【先行技術文献】
【特許文献】
【０００６】
【特許文献１】特開２０００−８９１０１号公報
【特許文献２】特公平６−６０９７０号公報
【特許文献３】特開２０１１−１７５０５４号公報
【発明の概要】
【発明が解決しようとする課題】
【０００７】
テレコンバージョンレンズを装着するマスターレンズは焦点距離が比較的長い望遠レンズであることが多く、フォーカシングレンズ群の重量が大きくなりやすい（特許文献１）。
【０００８】
このため、コントラスト方式によるオートフォーカスに際して、フォーカシングレンズ群を光軸方向に往復移動させる動作（ウォブリング動作）に時間を要し、高速なオートフォーカスを実現することが困難となる。または、重量が大きいフォーカシングレンズ群を光束に移動させるために大型の駆動装置が必要になる。
【０００９】
一方、フォーカシング機能を備えるテレコンバージョンレンズが提案されている（特許文献２）。特許文献２のテレコンバージョンレンズは、テレコンバージョンレンズの全体を駆動することによりフォーカシングを行うため、フォーカシングレンズ群の重量が比較的大きい。
【００１０】
特許文献３のアタッチメントレンズは、物体側から順に、負の屈折力の物体側レンズ群、正の屈折力のウォブリングレンズ群、負の屈折力の像側レンズ群を有しているが、倍率が約１倍であるためテレコンバージョン機能を有していない。また、像側レンズ群が負の屈折力を有しているため、像側レンズ群を出射した軸外光束が大きな角度で撮像素子に入射することにより、周辺光量が低下しやすい。
【００１１】
本発明は、高速なウォブリング動作が可能であってテレセントリック特性の良いテレコンバージョンレンズを提供することを目的としている。
【課題を解決するための手段】
【００１２】
マスターレンズとカメラ本体の間に装着され、全体として負の屈折力を有するテレコンバージョンレンズであって、物体側から像側へ順に、前群Ｌｆ、オートフォーカスのために光軸方向に往復移動するウォブリング動作を行う負の屈折力のレンズ群Ｌｎ、正の屈折力の後群Ｌｒを有することを特徴とするテレコンバージョンレンズ。
【発明の効果】
【００１３】
本発明によれば、高速なウォブリング動作が可能であってテレセントリック特性の良いテレコンバージョンレンズを提供することができる。
【図面の簡単な説明】
【００１４】
【図１】本発明の数値実施例１のテレコンバージョンレンズをマスターレンズに装着したときの断面図
【図２】本発明の数値実施例１のテレコンバージョンレンズの断面図
【図３】本発明の数値実施例１のテレコンバージョンレンズをマスターレンズに装着したときの収差図
【図４】本発明の数値実施例２のテレコンバージョンレンズの断面図
【図５】本発明の数値実施例２のテレコンバージョンレンズをマスターレンズに装着したときの収差図
【図６】本発明の数値実施例３のテレコンバージョンレンズの断面図
【図７】本発明の数値実施例３のテレコンバージョンレンズをマスターレンズに装着したときの収差図
【図８】本発明の数値実施例４のテレコンバージョンレンズの断面図
【図９】本発明の数値実施例４のテレコンバージョンレンズをマスターレンズに装着したときの収差図
【図１０】本発明の撮像装置の概略図
【発明を実施するための形態】
【００１５】
以下に、本発明の好ましい実施の形態を、添付の図面に基づいて詳細に説明する。
【００１６】
図１は、本発明の数値実施例１のテレコンバージョンレンズをマスターレンズに装着したときの断面図である。
【００１７】
図２は、本発明の数値実施例１のテレコンバージョンレンズの断面図である。図３は、本発明の数値実施例１のテレコンバージョンレンズをマスターレンズに装着したときの収差図である。数値実施例１は倍率１．４１のテレコンバージョンレンズである。
【００１８】
図４は、本発明の数値実施例２のテレコンバージョンレンズの断面図である。図５は、本発明の数値実施例２のテレコンバージョンレンズをマスターレンズに装着したときの収差図である。数値実施例２は倍率１．４１のテレコンバージョンレンズである。
【００１９】
図６は、本発明の数値実施例３のテレコンバージョンレンズの断面図である。図７は、本発明の数値実施例３のテレコンバージョンレンズをマスターレンズに装着したときの収差図である。数値実施例３は倍率１．４１のテレコンバージョンレンズである。
【００２０】
図８は、本発明の数値実施例３のテレコンバージョンレンズの断面図である。図９は、本発明の数値実施例３のテレコンバージョンレンズをマスターレンズに装着したときの収差図である。数値実施例３は倍率１．４１のテレコンバージョンレンズである。
【００２１】
図１０は、本発明の撮像装置１００の概略図である。
【００２２】
レンズ断面図において、Ｌｆは前群、Ｌｎは負の屈折力のフォーカシングレンズ群（レンズ群Ｌｎ）、Ｌｒは正の屈折力の後群（レンズ群Ｌｒ）である。
【００２３】
ＳＰは開放Ｆナンバー（Ｆｎｏ）光束を決定（制限）する開口絞りの作用をするＦナンバー決定部材（以下「開口絞り」ともいう。）である。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。
【００２４】
収差図において、球面収差における実線はｄ線、二点鎖線はｇ線、破線は正弦条件Ｓ．Ｃ．を表わしている。非点収差における破線はｄ線のメリディオナル像面、実線はｄ線のサジタル像面を表わしている。歪曲収差はｄ線における歪曲を表わしている。倍率色収差はｇ線によって表している。ＦｎｏはＦナンバー、ωは半画角（度）である。
【００２５】
テレコンバージョンレンズ１０はマスターレンズ２０とカメラ本体４０の間に装着される。テレコンバージョンレンズ１０とマスターレンズ２０により構成される撮影光学系３０によって、カメラ本体４０の撮像素子４２上に被写体の光学像が形成される。撮像素子４２は撮影光学系３０により形成された光学像を光電変換する。マスターレンズ２０とカメラ本体４０の間には、複数のテレコンバージョンレンズ１０を装着することもできる。マスターレンズ２０の像側にテレコンバージョンレンズ１０を装着することにより、テレコンバージョンレンズ１０をコンパクトに構成することができる。なお、テレコンバージョンレンズとは、倍率が１．３以上のコンバージョンレンズをいうものとする。
【００２６】
テレコンバージョンレンズ１０は、物体側から像側へ順に、前群Ｌｆ、負の屈折力のレンズ群Ｌｎ、正の屈折力の後群Ｌｒより構成されている。レンズ群Ｌｎは、オートフォーカスのために光軸方向に往復移動するウォブリング動作を行うために、不図示の駆動手段によって駆動される。
【００２７】
負の屈折力のレンズ群Ｌｎの像側に正の屈折力の後群Ｌｒを配置することにより、レンズ群Ｌｎの負の屈折力を比較的大きくすることができる。これにより、ウォブリング動作によるコントラスト変化が得られやすくなり、レンズ群Ｌｎの往復移動の移動範囲を小さくすることができる。
【００２８】
また、負の屈折力のレンズ群Ｌｎの像側に正の屈折力の後群Ｌｒを配置することにより、短いバックフォーカスにおいても良好なテレセントリック特性を得ることができる。すなわち、負の屈折力のレンズ群Ｌｎを出射した軸外光束に対して、正の屈折力の後群Ｌｒが収斂作用をするため、後群Ｌｒを出射した軸外光束を比較的小さな角度で撮像素子に入射させることができ、周辺光量を確保しやすい。また、ウォブリング動作による撮影画角の変化を抑制することが容易となる。
【００２９】
なお、前群Ｌｆは、正の屈折力を有していても良いし、負の屈折力を有していても良いし、屈折力がゼロであっても良い。前群Ｌｆと後群Ｌｒの間にレンズ群Ｌｎを配置することにより、レンズ群Ｌｎに外部から大きな力が加わることを防ぐことができるため、レンズ群Ｌｎに接続されている駆動機構を保護することができる。また、軸上光束の周辺光線が高い位置を通る最も物体側に前群Ｌｆを配置することにより、軸上色収差と球面収差の補正が容易になる。
【００３０】
以上により、高速なウォブリング動作が可能であってテレセントリック特性の良いテレコンバージョンレンズを得ることができる。以下に説明する各条件式および構成の少なくとも一つを満足することにより、それぞれに対応する効果が得られ、より好ましいテレコンバージョンレンズを実現することができる。
【００３１】
合焦位置に対するズレ方向を検出するためには、フォーカシングレンズ群を駆動させた際にコントラストが十分変化する必要がある。Ｆナンバーが小さいレンズの場合、焦点深度が浅いため、わずかな駆動量でコントラストが大きく変化する。
【００３２】
一方、Ｆナンバーの大きいレンズやレンズの開口絞りを絞ったときには、焦点深度が深いため、コントラストを同量だけ変化させるためには、フォーカシングレンズ群の駆動量を大きくする必要がある。
【００３３】
しかしながら、フォーカシングレンズ群の駆動量を大きくすると、合焦方向からのズレ方向を高速に検出することが困難になる。
【００３４】
フォーカシングレンズ群を微小量Δｘｆだけ光軸方向に駆動したときの像面の光軸方向の移動量をΔｘｐとするとき、フォーカス敏感度はΔｘｐ／Δｘｆと表わされる。
【００３５】
フォーカス敏感度を大きくすることで、焦点深度が深い場合にも高速に合焦方向からのズレ方向を検出することが容易となる。
【００３６】
一方、フォーカス敏感度を大きくしすぎるとフォーカシングレンズ群の位置決め精度が高くなり、要求される加工精度が高くなりすぎるため好ましくない。
【００３７】
フォーカス敏感度はフォーカシングレンズ群の横倍率βｆとフォーカシングレンズ群よりも像側に存在するレンズ群の合成横倍率βＲを用いて、
Δｘｐ／Δｘｆ＝｜βｆ２−１｜×βＲ２
で表すことができる。ただし、フォーカシングレンズ群よりも像側にレンズが存在しない場合、βＲは１とする。
【００３８】
フォーカス敏感度を適正な値に設定するために、適切な屈折力配置とフォーカシングレンズ群の選択が重要である。
【００３９】
テレコンバージョンレンズ１０においては、レンズ群Ｌｎの横倍率をβｎ、後群Ｌｒの横倍率をβｒとしたとき、
１．０＜｜βｎ２−１｜×βｒ２＜３．５      ・・・（１）
なる条件を満足することが望ましい。
【００４０】
条件式（１）はレンズ群Ｌｎのフォーカス敏感度に関する。条件式（１）の下限を超えると、ウォブリング動作時のレンズ群Ｌｎの移動範囲が大きくなりすぎて好ましくない。
【００４１】
条件式（１）の上限を超えると、レンズ群Ｌｎの位置決め精度が高くなりすぎるため好ましくない。
【００４２】
より好ましくは、以下の条件を満足するのが良い。
１．２＜｜βｎ２−１｜×βｒ２＜３．０      ・・・（１ａ）
【００４３】
また、レンズ群Ｌｎの最も物体側のレンズ面の曲率半径をＲｎｆ、レンズ群Ｌｎの最も像側のレンズ面の曲率半径をＲｎｒとしたとき、
０．３０＜（Ｒｎｒ−Ｒｎｆ）／（Ｒｎｒ＋Ｒｎｆ）＜０．９４    ・・・（２）
なる条件を満足することが望ましい。
【００４４】
条件式（２）はレンズ群Ｌｎのレンズ形状に関する。レンズ群Ｌｎのウォブリング動作に際して、像面の移動に因らないコントラストの変化を極力低減することが望ましい。このため、軸外光束の主光線がレンズ群Ｌｎのレンズ面に対して小さな角度で入射するように、レンズ群Ｌｎを全体として像側に凸面を向けたメニスカス形状とすることが望ましい。レンズ群Ｌｎを像側に凸面を向けたメニスカス形状とすることにより、軸上光線の収差の補正も容易になる。
【００４５】
条件式（２）の下限を超えると、レンズ群Ｌｎのフォーカス敏感度を確保することが困難となり好ましくない。
【００４６】
条件式（２）の上限を超えると、像面湾曲を良好に補正することが困難となり好ましくない。
【００４７】
より好ましくは、以下の条件を満足するのが良い。
０．４５＜（Ｒｎｒ−Ｒｎｆ）／（Ｒｎｒ＋Ｒｎｆ）＜０．９２  ・・・（２ａ）
【００４８】
また、レンズ群Ｌｎを単一の負レンズによって構成することにより、フォーカシングレンズ群を軽量にすることができ、高速なウォブリング動作が容易となるため好ましい。ただし、レンズ群Ｌｎは、例えば負レンズと正レンズの接合レンズとすることができ、複数のレンズを用いて構成することができる。
【００４９】
また、レンズ群Ｌｎの焦点距離をｆｎ、テレコンバージョンレンズの全系の焦点距離をｆとしたとき、
０．０６＜ｆｎ／ｆ＜０．３５    ・・・（３）
なる条件を満足するのが望ましい。
【００５０】
条件式（３）はレンズ群Ｌｎの屈折力に関する。条件式（３）の下限を超えると、レンズ群Ｌｎの屈折力の絶対値が大きくなりすぎて、ウォブリング動作時の収差変動や画角変化が大きくなるため好ましくない。
【００５１】
条件式（３）の上限を超えると、レンズ群Ｌｎの屈折力の絶対値が小さくなりすぎてフォーカス敏感度を確保することが困難となるため好ましくない。
【００５２】
より好ましくは、以下の条件を満足するのが良い。
０．０８＜ｆｎ／ｆ＜０．３１      ・・・（３ａ）
【００５３】
また、後群Ｌｒの焦点距離をｆｒ、レンズ群Ｌｎの焦点距離をｆｎとしたとき、
１．３０＜｜ｆｒ／ｆｎ｜＜１．８０      ・・・（４）
なる条件を満足するのが望ましい。
【００５４】
条件式（４）はレンズ群Ｌｎと後群Ｌｒの屈折力の比に関する。条件式（４）の下限を超えると、レンズ群Ｌｎの屈折力の絶対値が小さくなりすぎてフォーカス敏感度を確保することが困難となり好ましくない。
【００５５】
条件式（４）の上限を超えると、後群Ｌｒの屈折力が小さくなりすぎて良好なテレセントリック特性を得ることが困難となり好ましくない。
【００５６】
より好ましくは、以下の条件を満足するのが良い。
１．３５＜｜ｆｒ／ｆｎ｜＜１．７７      ・・・（４ａ）
【００５７】
また、前群Ｌｆとレンズ群Ｌｎの光軸上の間隔をｄＬ１、テレコンバージョンレンズの全系の焦点距離をｆとしたとき、
０．１５＜｜ｄＬ１／ｆ｜＜０．５０      ・・・（５）
なる条件を満足するのが望ましい。
【００５８】
条件式（５）は、前群Ｌｆとレンズ群Ｌｎの光軸上の間隔に関するものである。
【００５９】
条件式（５）の下限を超えると、レンズ群Ｌｎの駆動に必要な空間の確保が困難になるため好ましくない。条件式（５）の上限を超えると、テレコンバージョンレンズの全長の増大を招くため好ましくない。
【００６０】
より好ましくは、以下の条件を満足するのが良い。
０．１８＜｜ｄＬ１／ｆ｜＜０．４５      ・・・（５ａ）
【００６１】
また、レンズ群Ｌｎと後群Ｌｒの光軸上の間隔をｄＬ２、テレコンバージョンレンズの全系の焦点距離をｆとしたとき、
０．０７＜｜ｄＬ２／ｆ｜＜０．３０      ・・・（６）
なる条件を満足するのが望ましい。
【００６２】
条件式（６）は、レンズ群Ｌｎと後群Ｌｒの光軸上の間隔に関するものである。
【００６３】
条件式（６）の下限を超えると、レンズ群Ｌｎの駆動に必要な空間の確保が困難になるため好ましくない。条件式（６）の上限を超えると、テレコンバージョンレンズの全長の増大を招くため好ましくない。
【００６４】
より好ましくは、以下の条件を満足するのが良い。
０．０９＜｜ｄＬ２／ｆ｜＜０．２７      ・・・（６ａ）
【００６５】
また、テレコンバージョンレンズの最も物体側のレンズ面から最も像側のレンズ面までの光軸上の間隔をＴＤ、テレコンバージョンレンズの最も像側のレンズ面から像面までの光軸上の間隔をＢＦｃとしたとき、
２．０＜ＴＤ／ＢＦｃ＜４．５      ・・・（７）
なる条件を満足するのが良い。
【００６６】
条件式（７）は、テレコンバージョンレンズのレンズ構成長とバックフォーカスの比に関する。
【００６７】
条件式（７）の下限を超えると、バックフォーカスが長くなりすぎて、マスターレンズ２０にテレコンバージョンレンズ１０を装着した際の撮影光学系３０の全長が長くなるので好ましくない。
【００６８】
条件式（７）の上限を超えると、バックフォーカスが短くなりすぎてカメラ本体４０と干渉するため好ましくない。
【００６９】
より好ましくは、以下の条件を満足するのが良い。
２．２＜ＴＤ／ＢＦｃ＜４．３      ・・・（７ａ）
【００７０】
また、軸外光線の分離性の良い後群Ｌｒに非球面を配置することにより、収差を良好に補正することができるため好ましい。
【００７１】
図１０に示すように、テレコンバータＣＰＵ（制御手段）１１がマスターレンズＣＰＵ２１およびカメラ本体ＣＰＵ４１の少なくとも一方と、マスターレンズ側通信手段１２、カメラ本体側通信手段１３を介して通信するのが好ましい。
【００７２】
通信手段１２、１３を用いて、テレコンバージョンレンズ１０がマスターレンズ２０とカメラ本体４０の少なくとも一方と通信することにより、カメラ本体４０がコントラスト方式のオートフォーカスに対応しているか否かに関する情報を取得することができる。
カメラ本体４０がコントラスト方式のオートフォーカスに対応しているときは、テレコンバージョンレンズ１０のレンズ群Ｌｎのウォブリング動作をライブビューや動画撮影時のオートフォーカスに用いることができる。
【００７３】
動画撮影中はレンズの開口絞りＳＰが絞られている場合がある。Ｆナンバーが大きくなると、焦点深度が深くなるので、撮影光学系３０のＦナンバーに応じてレンズ群Ｌｎの駆動量を大きくすることが好ましい。テレコンバータＣＰＵ１１、マスターレンズＣＰＵ２１、カメラ本体ＣＰＵ４１の少なくとも１つによって、撮影光学系３０のＦナンバー等の撮影時の光学情報に基づいて、レンズ群Ｌｎの駆動量を決定するのが好ましい。
【００７４】
また、テレコンバージョンレンズ１０がマスターレンズ２０とカメラ本体４０の少なくとも一方と通信することにより、マスターレンズ２０がウォブリング動作可能なフォーカシングレンズ群を有するか否かに関する情報を取得することができる。  マスターレンズ２０にもウォブリング動作可能なフォーカシングレンズ群がある場合は、テレコンバータＣＰＵ１１とマスターレンズＣＰＵ２１とカメラ本体ＣＰＵ４１が通信することにより、マスターレンズ２０、テレコンバージョンレンズ１０もしくはその両方のフォーカシングレンズ群を用いた最適な駆動量を決定するように制御することができる。
【００７５】
例えば、開口絞りＳＰが絞られているときは、焦点深度が深くなるので、マスターレンズ２０とテレコンバージョンレンズ１０の各フォーカシングレンズ群のうち、フォーカス敏感度が高い方のフォーカシングレンズ群を用いてウォブリング動作させるのが良い。これにより、フォーカシングレンズ群の駆動量が大きくなりすぎることを防ぐことができる。
【００７６】
一方、開口絞りＳＰの開口が大きいときは、焦点深度が浅くなるので、マスターレンズ２０とテレコンバージョンレンズ１０の各フォーカシングレンズ群のうち、フォーカス敏感度が低い方のフォーカシングレンズ群を用いてウォブリング動作させるのが良い。フォーカス敏感度が大きすぎないフォーカシングレンズ群を用いることにより、フォーカスレンズ群のウォブリング動作を容易に制御することができる。
【００７７】
本発明のテレコンバージョンレンズは、マスターレンズのフランジバックよりもフランジバックの短いカメラ本体とマスターレンズの間に装着されるマウントアダプタであっても良い。これにより、マスターレンズの焦点距離を望遠側に変更するテレコンバージョンとフランジバックの延長を同時に達成することができる。さらに、フランジバックを延長するためのマウントアダプタの鏡筒部分に対して、テレコンバージョンレンズの光学系部分を着脱自在に構成しても良い。
【００７８】
次に、本発明のテレコンバージョンレンズ１０を装着するマスターレンズ２０の数値実施例、本発明のテレコンバージョンレンズ１０の数値実施例１乃至４を以下に説明する。これらの数値実施例において、面番号ｉは物体側からの順番を示し、ｒｉは物体側から順に第ｉ番目の面の曲率半径、ｄｉは物体側から順に第ｉ番目と第ｉ＋１番目との間のレンズ厚又は空気間隔である。ｄ０はマスターレンズの最終面からテレコンバージョンレンズの第１面までの空気間隔である。ｎｄとνｄはそれぞれ物体側から順に第ｉ番目の光学部材のｄ線における屈折率とアッベ数である。非球面形状は光軸方向にＸ軸、光軸と垂直方向にＨ軸、光の進行方向を正としＲを近軸曲率半径、Ｋを円錐定数、Ａ４，Ａ６，Ａ８，Ａ１０を各々非球面係数としたとき、
【００７９】
【数１】
2014115410.tif 000003
【００８０】
なる式で表している。また、［ｅ＋Ｘ］は［×１０ｘ］を意味し、［ｅ−Ｘ］は［×１０−ｘ］を意味している。ＢＦはマスターレンズの最も像側のレンズ面から、テレコンバージョンレンズを装着していないときの像面までの距離（バックフォーカス）を空気換算したものである。レンズ全長はマスターレンズの最も物体側のレンズ面からマスターレンズの最も像側のレンズ面までの距離にＢＦを加えたものである。非球面は面番号の後に＊を付加して示す。
【００８１】
また、本発明の各数値実施例と各条件式の対応を表１に示す。
【００８２】
（マスターレンズ）
単位  ｍｍ
面データ
面番号       r        d      nd         vd
1        270.270   14.50   1.48749    70.4
2       -835.232   31.14     
3        138.907   20.35   1.43387    95.1
4       -523.327    0.19     
5       -499.366    4.30   1.72047    34.7
6        310.896   27.04    
7         96.687   14.92   1.43387    95.1
8        664.543    0.24     
9         63.598    6.00   1.51633    64.1 
10         51.493   24.99    
11        461.177    5.35   1.80809    22.8 
12       -178.181    3.20   1.83400    37.2 
13        117.578   73.69      
14(絞り)    ∞      10.03   
15        285.718    7.19   1.72916    54.7 
16        -69.727    2.18   1.84666    23.8 
17       -247.741    0.84  
18         81.104    5.31   1.84666    23.8 
19       -151.144    2.00   1.69680    55.5 
20         41.763    5.33    
21       -163.217    1.70   1.88300    40.8 
22         95.192    2.18     
23         93.284    5.74   1.83400    37.2 
24       -356.898    8.32   
25         63.599    9.04   1.74950    35.3 
26        -95.263    1.87   1.80809    22.8 
27        101.811   11.05    
28          ∞       2.20   1.48749    70.2  
29          ∞      27.79   
30          ∞         BF     
像面        ∞
各種データ
焦点距離     390.09 
Fナンバー      2.90 
画角           2.01 
像高          13.66 
レンズ全長   367.66 
BF            44.00 
【００８３】
（数値実施例１）
単位  ｍｍ
面データ
面番号       r        d      nd         vd
1      -1799.466    2.56   1.72825    28.5
2        -37.195    0.15          
3       -190.736    0.67   1.83481    42.7
4         15.769    2.72   1.72825    28.5
5         89.570    6.21      
6        -14.103    1.50   2.00069    25.5
7        -42.328    3.35    
8*       534.515    6.50   1.51823    58.9
9        -18.019       
非球面データ
第8面
K = 0.00000e+000  A 4= 8.30447e-006  A 6=-9.02224e-008  A 8= 2.22742e-010  A10=-3.23884e-013
焦点距離    -226.69
倍率           1.41
d0            22.83
前側主点位置 -44.82
後側主点位置-83.57
単レンズデータ
レンズ  始面  焦点距離
1       1     52.12
2       3    -17.42
3       4     25.88
4       6    -21.71
5       8     33.77
【００８４】
（数値実施例２）
単位  ｍｍ
面データ
面番号       r        d      nd         vd
1       -256.923    1.46   1.72151    29.2
2        -36.298    1.06     
3        -45.290    0.67   1.83481    42.7
4         17.884    5.50   1.69895    30.1
5        -27.816    3.26      
6        -15.067    1.20   2.00069    25.5
7       -286.282    3.95   
8*       766.576    6.66   1.61340    44.3
9        -17.345    1.82       
10        -59.190    1.00   2.00330    28.3
11       -145.569      
非球面データ
第8面
K = 0.00000e+000  A 4= 8.85530e-006  A 6=-9.04161e-008  A 8= 1.98493e-010  A10=-2.24647e-013
焦点距離    -118.38
倍率           1.41
d0            21.91
前側主点位置 -12.36
後側主点位置-39.10
単レンズデータ
レンズ  始面  焦点距離
1       1     58.42
2       3    -15.29
3       4     16.39
4       6    -15.93
5       8     27.74
6      10   -100.00
【００８５】
（数値実施例３）
単位  ｍｍ
面データ
面番号       r        d      nd         vd
1         14.358    0.90   1.80000    29.8
2         12.357    0.15   
3         11.427    2.17   1.48749    70.4
4*        22.120   11.53   
5        -39.361    1.66   1.69895    30.1
6        -13.092    0.34      
7        -11.815    0.67   1.88300    40.8
8         18.720    0.15        
9         18.695    2.00   1.75520    27.5
10        -95.590    6.29      
11        -11.235    0.90   2.00330    28.3
12        -48.650    1.55   
13*        36.082    5.77   1.62588    35.7
14        -22.236        
非球面データ
第4面
K = 0.00000e+000  A 4=-1.43926e-005  A 6= 6.42189e-008  A 8=-1.65290e-009  A10= 1.18681e-011
第13面
K = 0.00000e+000  A 4=-1.83270e-005  A 6=-9.86530e-008  A 8= 8.80640e-010  A10=-2.41944e-012
焦点距離     -49.30
倍率           1.41
d0             0.15
前側主点位置  29.50
後側主点位置-10.52
単レンズデータ
レンズ  始面  焦点距離
1       1   -138.45
2       3     45.46
3       5     27.36
4       7     -8.12
5       9     20.86
6      11    -14.74
7      13     22.85
【００８６】
（数値実施例４）
単位  ｍｍ
面データ
面番号       r        d      nd         vd
1         15.247    2.02   1.51742    52.4
2*        42.313    1.50      
3         35.649    0.90   1.83481    42.7
4         19.099   13.86 
5        -24.723    0.59   1.83481    42.7
6         66.919    0.15       
7         24.692    3.83   1.67270    32.1
8        -21.848    0.90   1.83481    42.7
9        -65.161    4.49      
10        -14.017    0.90   2.00330    28.3
11        -76.924    3.89   
12*        37.546    7.16   1.64769    33.8
13        -26.934         
非球面データ
第２面
K = 0.00000e+000  A 4=-6.91885e-006  A 6=-2.67402e-009  A 8=-1.07989e-010  A10= 8.56404e-013  A12=-3.37999e-025
第12面
K = 0.00000e+000  A 4=-2.42802e-005  A 6=-1.45674e-009  A 8= 4.61608e-010  A10=-3.10605e-012  A12= 6.92587e-015
焦点距離    -149.54
倍率           1.41
d0             0.15
前側主点位置   0.33
後側主点位置 -51.76
単レンズデータ
レンズ  始面  焦点距離
1       1     44.92
2       3    -50.53
3       5    -21.56
4       7     17.82
5       8    -39.75
6      10    -17.21
7      12     25.32
【００８７】
【表１】
2014115410.tif 000004
【００８８】
以上、本発明の好ましい実施形態について説明したが、本発明はこれらの実施形態に限定されず、その要旨の範囲内で種々の変形及び変更が可能である。例えば、本発明のテレコンバージョンレンズ１０を装着するマスターレンズ２０はこれに限定されず、種々のマスターレンズ２０にテレコンバージョンレンズ１０を装着することができる。
【符号の説明】
【００８９】
１０  テレコンバージョンレンズ
１１  テレコンバータＣＰＵ
１２  マスターレンズ側通信手段
１３  カメラ本体側通信手段
２０  マスターレンズ
２１  マスターレンズＣＰＵ
３０  撮影光学系
４０  カメラ本体
４１  カメラ本体ＣＰＵ
４２  撮像素子
１００  撮像装置
Ｌｆ  前群
Ｌｎ  フォーカシングレンズ群
Ｌｒ  後群
ＳＰ  絞り
ＩＰ  像面
Ｓ  サジタル像面
Ｍ  メリジオナル像面
ｄ  ｄ線
ｇ  ｇ線
【図１】
2014115410.tif 000005
【図２】
2014115410.tif 000006
【図３】
2014115410.tif 000007
【図４】
2014115410.tif 000008
【図５】
2014115410.tif 000009
【図６】
2014115410.tif 000010
【図７】
2014115410.tif 000011
【図８】
2014115410.tif 000012
【図９】
2014115410.tif 000013
【図１０】
2014115410.tif 000014